(57)【要約】【課題】電極と測定部位との接触安定性をさらに向上させることのできる携帯型心電計を提供すること。【解決手段】被験者の手に接触させるための負電極と、被験者の所定の測定部位に接触させるための正電極１２２とを備え、負電極および正電極１２２により検出された電気信号を心電波形として測定することのできる携帯型心電計において、電極形成面における正電極１２２を取り囲む位置に、正電極１２２が測定部位に接触された状態において、測定部位を取り囲む位置の体表面と密着させるためにゴム１９０が設けられる。【選択図】図２
2007209610.tif 000002
【特許請求の範囲】
【請求項１】
被験者の手に接触させるための第１の電極と、
前記被験者の所定の測定部位に接触させるための第２の電極と、
前記第１の電極および前記第２の電極により検出された電気信号を心電波形として測定するための測定手段と、
前記第１の電極、前記第２の電極および前記測定手段を含む筐体とを備え、
前記筐体は、前記第２の電極が設けられた電極形成面を有し、
前記電極形成面における前記第２の電極を取り囲む位置に、前記第２の電極が前記測定部位に接触された状態において、前記測定部位を取り囲む位置の体表面と密着させるための密着手段をさらに備える、携帯型心電計。
【請求項２】
前記密着手段は、前記体表面に接する接触面を有し、
前記接触面を構成する部材は、ゴム、または、熱可塑性エラストマーからなる、請求項１に記載の携帯型心電計。
【請求項３】
前記密着手段は、前記体表面に接する第１の接触面を有し、
前記第１の接触面を構成する部材は、粘着性を有している、請求項１に記載の携帯型心電計。
【請求項４】
非使用状態において、前記第１の接触面を保護するための第１の保護部材をさらに備え、
前記第１の保護部材は、前記被験者によって取り外し可能である、請求項３に記載の携帯型心電計。
【請求項５】
前記密着手段は、さらに、前記電極形成面と接する第２の接触面を有し、
前記第２の接触面を構成する部材は、粘着性を有している、請求項４に記載の携帯型心電計。
【請求項６】
非使用状態において、前記第２の接触面を保護するための第２の保護部材をさらに備える、請求項５に記載の携帯型心電計。
【発明の詳細な説明】
【技術分野】
【０００１】
本発明は、心電計に関し、特に、持ち運びが可能で心電波形を容易に測定することが可能な携帯型心電計に関する。
【背景技術】
【０００２】
一般に、不整脈や、狭心症や心筋梗塞等の虚血性心疾患の診断には、患者の心電図が利用される。心電図を得るために利用される心電計としては、種々の構成のものが知られている。その一つに、持ち運びが可能で測定すべき自覚症状が発生した場合に被験者自らが電極を身体に接触させることによって心電波形の測定および記憶を可能にする携帯型心電計が知られている。この携帯型心電計は、イベント式心電計に分類され、患者の身体に予め電極を装着させておき、日常生活を送りながら連続的に心電波形を測定・記録するホルター式心電計と区別されるものである。
【０００３】
このような携帯型心電計において、精度良く心電波形を測定するための提案が従来よりなされている。たとえば、特許文献１には、正電極の接触面と測定部位（胸部）との接触安定性を向上させるために、正電極（被験者の胸部に接触させる側の電極）が位置する電極領域を取り囲むように、平坦に形成された非電極領域を設けることが開示されている。さらに、該文献には、測定時に電極が身体の表面において位置ずれしてしまうことを防止するために、電極の周囲に複数の突起部を設けることが開示されている。これにより、多少、心電計を把持している手や測定部位が動いてしまったとしても、接触部位の変動は非電極領域で発生し、電極領域ではほとんど発生しないようになる。
【特許文献１】特開２００５−４６２１５号公報
【発明の開示】
【発明が解決しようとする課題】
【０００４】
しかしながら、特許文献１のような構成では、測定中、心電計を把持している手または腕が下がってきてしまい、測定部位への押圧方向とは異なる方向に所定以上の力が加わってしまった場合に、突起部の摩擦のみでは、正電極の接触面と測定部位との接触安定性を良好に保つためには不十分な場合がある。
【０００５】
本発明は、上記のような問題を解決するためになされたものであって、その目的は、電極と測定部位との接触安定性をさらに向上させることのできる携帯型心電計を提供することである。
【課題を解決するための手段】
【０００６】
この発明のある局面に従う携帯型心電計は、被験者の手に接触させるための第１の電極と、被験者の所定の測定部位に接触させるための第２の電極と、第１の電極および第２の電極により検出された電気信号を心電波形として測定するための測定手段と、第１の電極、第２の電極および測定手段を含む筐体とを備え、筐体は、第２の電極が設けられた電極形成面を有し、電極形成面における第２の電極を取り囲む位置に、第２の電極が測定部位に接触された状態において、測定部位を取り囲む位置の体表面と密着させるための密着手段をさらに備える。
【０００７】
好ましくは、密着手段は、体表面に接する接触面を有し、接触面を構成する部材は、ゴム、または、熱可塑性エラストマーからなる。
【０００８】
好ましくは、密着手段は、体表面に接する第１の接触面を有し、第１の接触面を構成する部材は、粘着性を有している。
【０００９】
好ましくは、非使用状態において、第１の接触面を保護するための第１の保護部材をさらに備え、第１の保護部材は、被験者によって取り外し可能である。
【００１０】
好ましくは、密着手段は、さらに、電極形成面と接する第２の接触面を有し、第２の接触面を構成する部材は、粘着性を有している。
【００１１】
好ましくは、非使用状態において、第２の接触面を保護するための第２の保護部材をさらに備える。
【発明の効果】
【００１２】
本発明によると、電極と測定部位との接触安定性を向上させることができる。したがって、心電波形の測定精度を向上させることができる。
【発明を実施するための最良の形態】
【００１３】
本発明の実施の形態について図面を参照しながら詳細に説明する。なお、図中同一または相当部分には同一符号を付してその説明は繰返さない。
【００１４】
（外観について）
まず、本実施の形態における携帯型心電計の外観構造について説明する。図１および図２は、本発明の実施の形態における携帯型心電計１００の概略斜視図である。また、図３〜図７は、それぞれ、携帯型心電計１００の正面図、上面図、下面図、右側面図、および左側面図である。
【００１５】
図１〜図７に示すように、本実施の形態における携帯型心電計１００は、取り扱い性に優れたものとなるように、片手で保持することが可能な大きさおよび重さにまで小型軽量化されている。携帯型心電計１００は、扁平かつ細長の略直方体形状の外形を有する装置本体１１０を備えている。
【００１６】
図１〜図３に示すように、装置本体１１０の正面１１１の長手方向（図中矢印Ａ方向）の一方端寄りには、測定の開始を指示するための測定ボタン１４２が設けられている。また、装置本体１１０の正面１１１の他方端寄りには、表示部１４８が設けられている。この表示部１４８は、たとえば液晶ディスプレイ等によって構成され、測定結果等を表示する。
【００１７】
図１および図４に示すように、装置本体１１０の上面１１３の所定位置には、電源１６０のＯＮ／ＯＦＦを指示するための電源ボタン１４１が配置されている。また、装置本体１１０の上面１１３の所定位置には、蓋体である開閉カバー１３０が設けられている。この開閉カバー１３０は、外部記憶媒体用スロット（図示せず）を閉状態において覆い隠すように設けられたものであり、装置本体１１０に対して開閉自在に取付けられている。
【００１８】
図１、図２および図５に示すように、装置本体１１０の下面１１４の所定位置には、メニューボタン１４３、決定ボタン１４４、左スクロールボタン１４５および右スクロールボタン１４６が配置されている。ここで、メニューボタン１４３は、携帯型心電計１００のメニューの表示を指示するための操作ボタンであり、決定ボタン１４４は、表示部１４８に表示された情報に関する設定動作を実行させるため操作ボタンである。そして左スクロールボタン１４５および右スクロールボタン１４６は、表示部１４８に表示される測定結果のグラフやガイド情報等をスクロールして表示させるための操作ボタンである。
【００１９】
図１および図６に示すように、装置本体１１０の長手方向の一方端に位置する右側面１１５には、一対の測定電極のうちの一方の電極であり、被験者の手に接触させるための負電極１２１と、身体の電位変化の基準となる電位を導出するための不関電極１２３とが配置されている。この右側面１１５は、後述する測定姿勢を被験者がとった際に被験者の右手の人差し指がフィットするように滑らかに湾曲した形状となっている。さらに、この右側面１１５には、上下方向に向かって延びる凹部１１５ａが形成されている。この凹部１１５ａは、被験者の右手の人差し指を受入れる形状となっている。
【００２０】
上述の負電極１２１および不関電極１２３は、導電性部材にて形成されている。また、負電極１２１および不関電極１２３は、右側面１１５に設けられた凹部１１５ａ内において、その表面が装置本体１１０の外表面に露出した状態となるように配置されている。なお、負電極１２１は、右側面１１５の上面１１３寄りに位置しており、不関電極１２３は、右側面１１５の下面１１４寄りに位置している。
【００２１】
図１〜図５に示すように、装置本体１１０の長手方向の他方端に位置する左側面１１６には、突出部１１７が設けられている。突出部１１７は、左側面１１６の法線方向のみならず、左側面１１６寄りの正面１１１および背面１１２においても、その法線方向に突出している。
【００２２】
図２および図７に示すように、突出部１１７の左側面（左側面１１６と略同一方向の面）には、一対の測定電極のうちの他方の電極であり、被験者の所定の測定部位に接触させるための正電極１２２が配置されている。さらに、突出部１１７の電極形成面（突出部１１７の左側面）には、正電極１２２を取り囲む位置に、正電極１２２が測定部位に接触された状態において、測定部位を取り囲む位置の体表面（以下「周囲体表面」という）と密着させるための部材（以下、「密着部材」という）、たとえば、ゴム１９０が設けられている。このように、正電極１２２を取り囲む位置に、ゴム１９０を設けることで、測定の際、周囲体表面の皮膚の追従性を高めることができる。ゴム１９０は、周囲体表面と接する接触面１９０ａが、正電極１２２における測定部位との接触面１２２ａよりも摩擦係数が大きいのみならず、周囲体表面との密着性を高めることが可能な部材である。ゴム１９０の材質としては、たとえば、シリコンゴムあるいはウレタンゴムなどが採用される。
【００２３】
本実施の形態において、フレーム状のゴム１９０が、突出部１１７の電極形成面に、突出している正電極１２２の側面に接触するように、予め接着されている。
【００２４】
ゴム１９０における周囲体表面との接触面１９０ａは、正電極１２２における測定部位との接触面１２２ａよりも低い高さに形成されているか、あるいは、略同一の高さに形成されていることが好ましい。本実施の形態においては、ゴム１９０の接触面１９０ａの方が、正電極１２２の接触面１２２ａよりも低い高さに形成されている。
【００２５】
なお、本実施の形態では、装置本体１１０に突出部１１７を設けることとしたが、突出部１１７を設けない構成であってもよい。この場合、装置本体１１０の左側面１１６が電極形成面となり、当該面に、正電極１２２およびゴム１９０が同様の態様で配置されることになる。
【００２６】
（測定姿勢について）
次に、被験者が、本発明の実施の形態における携帯型心電計１００を用いて心電波形を測定している状態について説明する。図８は、被験者の測定姿勢を示す斜視図であり、図９は、この測定姿勢を上方から見た図である。
【００２７】
図８および図９に示すように、被験者２００は、携帯型心電計１００の装置本体１１０の一方端寄りを右手２１０で把持しつつ、装置本体１１０の他方端の突出部１１７に設けられた正電極１２２（の接触面１２２ａ）を胸部２５０の左側下部に位置する第５肋間前腋窩線上の皮膚（測定部位）に直接接触させる。これにより、ゴム１９０（の接触面１９０ａ）が周囲体表面（正電極１２２が接触している部位を取り囲む位置の体表面）に密着される。そして、右手２１０の親指２１１にて装置本体１１０の正面１１１に設けられた測定ボタン１４２を押下する。そして、この状態を数十秒程度維持しつつ心電波形を測定する。
【００２８】
このような測定姿勢をとることにより、携帯型心電計１００の装置本体１１０の右側面１１５に位置する負電極１２１および不関電極１２３が被験者２００の右手２１０の人差し指２１２に接触し、装置本体１１０の左側面１１６に位置する正電極１２２（の接触面１２２ａ）が被験者２００の胸部２５０に接触した状態となる。これにより、負電極１２１に接触した右手２１０、胸部２５０に非接触の前腕２２０、同じく胸部２５０に非接触の上腕２３０および右肩２４０を介して正電極１２２が接触した胸部２５０の順で被験者の身体に測定回路が構成されるようになる。
【００２９】
（構成について）
次に、本実施の形態における携帯型心電計１００のハードウェア構成について説明する。図１０は、本発明の実施の形態における携帯型心電計１００のブロック図である。
【００３０】
図１０を参照して、本実施の形態における携帯型心電計１００は、電極部１２０、操作部１４０および処理回路１５０を主に備えている。電極部１２０は、上述の負電極１２１、正電極１２２および不関電極１２３によって構成される。操作部１４０は、上述の電源ボタン１４１、測定ボタン１４２、メニューボタン１４３、決定ボタン１４４、左スクロールボタン１４５および右スクロールボタン１４６を含む。
【００３１】
処理回路１５０は、電極部１２０によって検知された生体電気信号を心電波形として測定するように処理するための回路を内蔵しており、電極部１２０によって検知された生体電気信号を増幅するアンプ回路１５１と、電極部１２０によって検知された生体電気信号からノイズ成分を除去するフィルタ回路１５２と、アナログ信号をデジタル信号に変換するＡ／Ｄ（Analog/Digital）コンバータ１５３と、各種演算を行なうＣＰＵ（central processing unit）１５４と、心電情報を記憶するＲＯＭ（Read Only Memory）やＲＡＭ（Random Access Memory）を有するメモリ１５５と、計時動作して計時した時間データをＣＰＵ１５４に出力するタイマ１７０とを備える。ここで、アンプ回路１５１は、不関電極１２３の出力電圧信号に基づき負電極１２１と正電極１２２の出力電圧信号（生体電気信号）を差動増幅して出力する。また、フィルタ回路１５２は、たとえば０．５Ｈｚ〜３５Ｈｚの通過帯域を有するバンドパスフィルタ（Band Pass Filter）が利用される。
【００３２】
処理回路１５０には、上述の電極部１２０および操作部１４０が接続され、これに加えてさらに表示部１４８および電源１６０が接続される。また、外部記憶媒体を挿入するためのスロットに外部記憶媒体が挿入された場合には、この外部記憶媒体１３２も処理回路１５０に接続されることになる。
【００３３】
ＣＰＵ１５４は、Ａ／Ｄコンバータ１５３から入力されるデジタル信号の解析処理を実行する。また、操作部１４０に含まれる各種操作ボタンからの指令信号を受信し、受信した指令信号に応じた処理を実行する。また、メモリ１５５への情報の書き込みおよび読み出しを実行する。また、表示部１４８への表示制御を行なう。
【００３４】
（動作について）
図１１は、本実施の形態の携帯型心電計１００における測定処理の流れを示すフローチャートである。図１１のフローチャートに示す処理は、予めプログラムとしてメモリ１５５のＲＯＭ内に格納されており、ＣＰＵ１５４がこのプログラムを読み出して実行することにより、測定処理の機能が実現される。
【００３５】
図１１を参照して、被験者によって電源ボタン１４１が押下されて電源が投入されると、機器の動作チェックが行なわれる（ステップＳ２）。次に、ＣＰＵ１５４は、表示部１４８に測定ガイドを表示する（ステップＳ４）。たとえば、測定ガイドとして、ユーザである被験者が測定の際にとるべき姿勢などの情報が表示される。
【００３６】
つづいて、ＣＰＵ１５４は、測定ボタン１４２の押下を検知すると、心電波形の測定および測定された心電波形の解析を行なう（ステップＳ６，Ｓ８）。Ａ／Ｄコンバータ１５３によりデジタル信号化された心電波形は、メモリ１５５のＲＡＭ内に一時的に記録される。心電波形の解析とは、デジタル信号化された心電波形より、不整脈や心筋の虚血等を示す形状的特徴の有無、徐脈や頻脈等を示す周期的特徴の有無、ノイズや基線変動等による解析不能な波形の有無等を検出し、検出結果を分析する処理である。なお、心電波形の測定および解析は、公知の手順により行なわれてよい。
【００３７】
波形解析の結果、ＣＰＵ１５４は、測定された心電波形が安定していたか否か、すなわち、解析不能な波形の有無を判断する（ステップＳ１０）。心電波形が安定していたと判断された場合（ステップＳ１０においてＹＥＳ）、ステップＳ１２に進む。一方、心電波形が安定していないと判断された場合（ステップＳ１０においてＮＯ）、ステップＳ１４に進む。
【００３８】
ステップＳ１２において、ＣＰＵ１５４は、心電波形の解析結果をメッセージに編集して該メッセージを表示部１４８に表示する。この際、メッセージとともに単位時間当たりの心拍数も表示される。心拍数は心電波形に基づき公知の手順で得ることができる。ステップＳ１２の処理が終わると、ステップＳ１８に進む。
【００３９】
ここで、ステップＳ１２における画面表示例を図１２に示す。図１２では、表示部１４８に、「波形に乱れはないようです。」と示されたメッセージ１６７と、「６０拍／分」と示された単位時間当たりの心拍数のデータ１６３とが表示されている。
【００４０】
ステップＳ１４では、ＣＰＵ１５４は、表示部１４８に、波形解析が不可であった旨の表示を行なうとともに、測定データを保存するか否かのメッセージを表示する。次に、このメッセージに応じて、被験者が測定データの保存を選択したか否かが判断される（ステップＳ１６）。測定データの保存が選択された場合（ステップＳ１６においてＹＥＳ）、ステップＳ１８に進む。一方、測定データの破棄が選択された場合（ステップＳ１６においてＮＯ）、ステップＳ２０に進む。
【００４１】
ステップＳ１８において、ＣＰＵ１５４は、測定データを保存する処理を行なう。すなわち、ＣＰＵ１５４は、タイマ１７０から入力する現在の日時データ、ＲＡＭに一時格納していた心電波形データおよび解析結果を対応付けて、メモリ１５５の所定の記憶領域に格納する。
【００４２】
ステップＳ２０において、ＣＰＵ１５４は、測定データを破棄する。
ステップＳ１８あるいはステップＳ２０の処理が終わると、一連の測定処理は終了される。
【００４３】
なお、携帯型心電計１００は、上記ステップＳ１８において保存された心電波形の測定・解析結果を読出して、表示部１４８に表示する機能を備えている。図１３に、メモリ１５５に記憶されている心電波形の測定結果の表示画面の一例を示す。図１３を参照して、表示開始時点では、画面の下段部には全測定期間にわたる全体波形の縮小波形１６２が表示されて、その上段部には測定開始時からたとえば２秒間の拡大波形１６４が表示される。また縮小波形１６２の下方には測定期間の長さを示すスケールバー１６５が表示されている。スケールバー１６５上には、拡大波形１６４が測定期間のどのあたりの波形であるかを指示するためのポインタ１６６が表示される。全測定期間のどのあたりの波形を拡大波形１６４として表示するかの変更は、右スクロールボタン１４６と左スクロールボタン１４５を操作してポインタ１６６をスケールバー１６５上を移動させることにより、２秒単位で変更可能である。また、被験者が図１３の画面で心電波形を確認した後、決定ボタン１４４を押下すると、ＣＰＵ１５４は表示中の心電波形に対応の解析結果のデータをメモリ１５５から読出して、メッセージに編集し、編集したメッセージを表示部１４８に例えば図１２のように表示してもよい。
【００４４】
上述のように、本実施の形態では、ゴム１９０が正電極１２２（の接触面１２２ａ）を取り囲む位置に配置されているため、測定中に、携帯型心電計１００を把持している手または腕が下がってきてしまい、測定部位への押圧方向とは異なる方向に所定以上の力が加わってしまった場合であっても、ゴム１９０の接触面１９０ａと周囲体表面との位置ずれを防止することができる。また、これに伴ない、正電極１２２の接触面１２２ａと測定部位との密着性も高めることができる。
【００４５】
これにより、正電極１２２と測定部位と接触安定性を向上させることができ、測定電圧値にばらつきが生じてしまうことを防止することができる。したがって、上述のような構成とすることで、精度良く安定的に心電波形を測定することができる。
【００４６】
なお、本実施の形態では、正電極１２２を接触させる測定部位および体表面は胸部２５０であることとして説明したが、胸部２５０に限定されず、携帯型心電計１００を把持する手以外の四肢または、胴であればよい。
【００４７】
（変形例）
上述のように、本実施の形態では、フレーム状のゴム１９０を、突出部１１７の電極形成面において、正電極１２２の側面に接触するように配置した。しかしながら、正電極１２２を取り囲むようにゴム１９０を配置すればよく、このような形態に限定されるものではない。ゴム１９０の他の配置例を、図１４に示す。
【００４８】
たとえば、図１４に示すように、フレーム状のゴム１９０が、突出部１１７の電極形成面１１７ａにおいて、正電極１２２と離れた位置に設けられてもよい。この場合、装置本体１１０を左側方から見た場合、正電極１２２とゴム１９０との間に、突出部１１７の電極形成面１１７ａが外部より見えることになる。
【００４９】
また、本実施の形態では、正電極１２２の側面を完全に取り囲むようにフレーム状のゴム１９０を配置したが、正電極１２２の側面の全方位が取り囲まれている必要はない。つまり、装置本体１１０を左側方から見た場合、突出部１１７の電極形成面１１７ａにおいて、ゴム１９０が一部配置されていない箇所があってもよい。ゴム１９０のさらに他の配置例を図１５に示す。
【００５０】
たとえば、図１５に示すように、装置本体１１０を左側方から見た場合、正電極１２２を取り囲む位置に、２つに分割されたゴム１９０が設けられてもよい。より具体的には、電極形成面１１７ａにおいて、正電極１２２の周囲のうち、上面１１３側の一部および下面１１４側の一部を除く位置にゴム１９０が配置されてもよい。
【００５１】
あるいは、装置本体１１０を左側方から見た場合、複数の点状のゴム１９０が、正電極１２２を取り囲むように設けられてもよい。
【００５２】
また、本実施の形態において、正電極１２２は、１つの略矩形の接触面１２２ａを有することとしたが、接触面１２２ａの形状は特に限定されるものではない。また、図１６に示すように、正電極１２２は、たとえば２つの接触面１２２ａを有していてもよい。この場合、装置本体１１０を左側方から見た場合、ゴム１９０は、２つの接触面１２２ａの双方を取り囲むように設けられることが好ましい。あるいは、図１６では、正電極１２２が２つの接触面１２２ａを有する例を示したが、正電極１２２は、複数の接触面１２２ａを有していてもよい。この場合も、ゴム１９０は、複数の接触面１２２ａのすべてを取り囲むように設けられることが好ましい。
【００５３】
また、本実施の形態では、突出部１１７の電極形成面に配置される密着部材そのものがゴム１９０として説明したが、少なくとも、密着部材における周囲体表面との接触面が、ゴムによって形成されていればよい。
【００５４】
また、本実施の形態では、密着部材として、シリコンゴムまたはウレタンゴムにより形成されたゴム１９０を例に挙げたが、周囲体表面との密着性を保てるような部材であればよく、たとえば、ニトリルゴムあるいはエチレン−プロピレン−ジエンゴム（ＥＰＤＭ）等を主成分として含む熱可塑性エラストマーであってもよい。
【００５５】
あるいは、密着部材として、粘着性を有する部材（以下「粘着部材」という）が採用されてもよい。ここで、正電極１２２の周囲に粘着部材が配置される様子を、図１７および図１８に示す。
【００５６】
図１７および図１８に示すように、粘着部材１９１は、取り替え自在（着脱自在）であることが好ましい。粘着部材１９１は、たとえば、アクリル系樹脂架橋体、多価アルコール水、および電解質などを含むゲルにより形成されている。
【００５７】
また、図１８に示すように、携帯型心電計１００の非使用状態において、粘着部材１９１における周囲体表面との接触面１９１ａおよび電極形成面１１７ａとの接触面１９１ｂの双方に、それぞれ保護フィルム１９２が設けられていることが好ましい。保護フィルム１９２は、粘着部材１９１の接触面１９１ａ，１９１ｂを保護するための部材であり、被験者によって容易に取り外し可能である。保護フィルム１９２は、たとえば、ポリエチレンラミネート材、あるいは、ポリプロピレンフィルムなどにより形成されている。
【００５８】
このような構成とすることで、接触面１９１ａの粘着力の劣化が進んできた場合に、被験者は、自由に粘着部材１９１を取り替えることができる。
【００５９】
なお、粘着部材１９１は、接触面１９１ａおよび１９１ｂの双方が粘着性があればよく、単層であっても、複層であってもかまわない。あるいは、粘着部材１９１が取り替え自在ではない場合、すなわち、接触面１９１ｂが電極形成面に予め接着されている場合、少なくとも接触面１９１ａが粘着性を有していればよい。この場合も、接触面１９１ａに、保護フィルム１９２が設けられることが好ましい。これにより、被験者は、測定が終わる度に保護フィルム１９２を接触面１９１ａに取り付けることで、接触面１９１ａにおける粘着性の劣化を防ぐことができる。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】本発明の実施の形態における携帯型心電計の概略斜視図である。
【図２】本発明の実施の形態における携帯型心電計の概略斜視図である。
【図３】本発明の実施の形態における携帯型心電計の正面図である。
【図４】本発明の実施の形態における携帯型心電計の上面図である。
【図５】本発明の実施の形態における携帯型心電計の下面図である。
【図６】本発明の実施の形態における携帯型心電計の右側面図である。
【図７】本発明の実施の形態における携帯型心電計の左側面図である。
【図８】本発明の実施の形態における携帯型心電計を用いて心電波形を測定する際に被験者がとるべき測定姿勢を示した斜視図である。
【図９】本発明の実施の形態における携帯型心電計を用いて心電波形を測定する際に被験者がとるべき測定姿勢を上方から見た図である。
【図１０】本発明の実施の形態における携帯型心電計のハードウェア構成を示すブロック図である。
【図１１】本発明の実施の形態の携帯型心電計における測定処理の流れを示すフローチャートである。
【図１２】本発明の実施の形態における、測定結果の画面表示の一例を示す図である。
【図１３】本発明の実施の形態においてメモリに記憶されている心電波形の測定結果の表示画面の一例を示す図である。
【図１４】本発明の実施の形態におけるゴムの他の配置例を示す図である。
【図１５】本発明の実施の形態におけるゴムのさらに他の配置例を示す図である。
【図１６】本発明の実施の形態における正電極の形態の他の例を示す図である。
【図１７】本発明の実施の形態において、正電極を取り囲む位置に粘着性を有する部材が配置される様子を示す図である。
【図１８】本発明の実施の形態において、正電極を取り囲む位置に粘着性を有する部材が配置される様子を示す図である。
【符号の説明】
【００６２】
１００  携帯型心電計、１１０  装置本体、１１１  正面、１１２  背面、１１３  上面、１１４  下面、１１５  右側面、１１６  左側面、１１７  突出部、１２０  電極部、１２１  負電極、１２２  正電極、１２３  不関電極、１３０  開閉カバー、１３１  外部記憶媒体用スロット、１３２  外部記憶媒体、１４０  操作部、１４１  電源ボタン、１４２  測定ボタン、１４３  メニューボタン、１４４  決定ボタン、１４５  左スクールボタン、１４６  右スクロールボタン、１４８  表示部、１５０  処理回路、１５１  アンプ回路、１５２  フィルタ回路、１５３  Ａ／Ｄコンバータ、１５５  メモリ、１６０  電源、１７０  タイマ、１９０  ゴム、１９１  粘着部材、１９２  保護フィルム。
【図１】
2007209610.tif 000003
【図２】
2007209610.tif 000004
【図３】
2007209610.tif 000005
【図４】
2007209610.tif 000006
【図５】
2007209610.tif 000007
【図６】
2007209610.tif 000008
【図７】
2007209610.tif 000009
【図８】
2007209610.tif 000010
【図９】
2007209610.tif 000011
【図１０】
2007209610.tif 000012
【図１１】
2007209610.tif 000013
【図１２】
2007209610.tif 000014
【図１３】
2007209610.tif 000015
【図１４】
2007209610.tif 000016
【図１５】
2007209610.tif 000017
【図１６】
2007209610.tif 000018
【図１７】
2007209610.tif 000019
【図１８】
2007209610.tif 000020